Podtech/llm-jp-corpus-v4-ja_patent huggingface dataset:
【手続補正書】
【提出日】平成16年6月7日(2004.6.7)
【手続補正１】
【補正対象書類名】明細書
【補正対象項目名】００５１
【補正方法】変更
【補正の内容】
【００５１】
また、上記以外の樹脂を単量体系中に添加しても良く、用いられる樹脂としては、例えば、ポリスチレン、ポリビニルトルエンなどのスチレン及びその置換体の単重合体；スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−アクリル酸ジメチルアミノエチル共重合体、スチレン−メタアクリル酸メチル共重合体、スチレン−メタアクリル酸エチル共重合体、スチレン−メタアクリル酸ブチル共重合体、スチレン−メタクリル酸ジメチルアミノエチル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−マレイン酸共重合体、スチレン−マレイン酸エステル共重合体などのスチレン系共重合体；ポリメチルメタクリレート、ポリブチルメタクリレート、ポリ酢酸ビニル、ポリエチレン、ポリプロピレン、ポリビニルブチラール、シリコーン樹脂、ポリエステル樹脂、ポリアミド樹脂、エポキシ樹脂、ポリアクリル酸樹脂、ロジン、変性ロジン、テルペン樹脂、フェノール樹脂、脂肪族又は脂環族炭化水素樹脂、芳香族系石油樹脂などが単独或いは混合して使用できる。
【手続補正２】
【補正対象書類名】明細書
【補正対象項目名】００９６
【補正方法】変更
【補正の内容】
【００９６】
他の添加剤として本発明に用いられる離型剤としては、パラフィンワックス、マイクロクリスタリンワックス、ペトロラタム等の石油系ワックス及びその誘導体、モンタンワックス及びその誘導体、フィッシャートロプシュ法による炭化水素ワックス及びその誘導体、ポリエチレンに代表されるポリオレフィンワックス及びその誘導体、カルナバワックス、キャンデリラワックス等天然ワックス及びその誘導体などで、誘導体には酸化物や、ビニル系モノマーとのブロック共重合物、グラフト変性物を含む。
【手続補正書】
【提出日】平成16年10月5日(2004.10.5)
【手続補正１】
【補正対象書類名】明細書
【補正対象項目名】００４８
【補正方法】変更
【補正の内容】
【００４８】
分級空気の供給は、案内羽根２０３の後方の分級空気入り口２０４を通って行われる。ケーシング２０１の内部にリング状の粗粒物排出室２１３が配置されており、粗粒物は粗粒物取り出し口２０６より収集され、本発明においては、これがトナー粒子となる。リング状の微粒物排出室２１４は分級機羽根２０９の下側に駆動軸に対して同軸的に配置されている。微粒物は、微粒物取り出し口５より収集される。
【手続補正２】
【補正対象書類名】明細書
【補正対象項目名】００６２
【補正方法】変更
【補正の内容】
【００６２】
本発明においては、定着時の定着部材からの離型性の向上、定着性の向上の点から次のようなワックス類がトナー粒子の材料として用いられる。前記ワックスとしては、例えばパラフィンワックス及びその誘導体、マイクロクリスタリンワックス及びその誘導体、フィッシャートロプシュワックス及びその誘導体、ポリオレフィンワックス及びその誘導体、カルナバワックス及びその誘導体などで、誘導体には酸化物や、ビニル系モノマーとのブロック共重合物、グラフト変性物を含む。その他、アルコール、脂肪酸、酸アミド、エステル、ケトン、硬化ヒマシ油及びその誘導体、植物系ワックス、動物性ワックス、鉱物系ワックス、ペトロラタム等も利用できる。
【手続補正書】
【提出日】平成16年7月1日(2004.7.1)
【手続補正１】
【補正対象書類名】明細書
【補正対象項目名】発明の名称
【補正方法】変更
【補正の内容】
【発明の名称】イエロートナーの製造方法
【手続補正２】
【補正対象書類名】明細書
【補正対象項目名】特許請求の範囲
【補正方法】変更
【補正の内容】
【特許請求の範囲】
【請求項１】
リン酸塩水溶液とカルシウム塩水溶液とを混合して得られるリン酸カルシウム塩類を含有する水系媒体のｐＨを４．０乃至６．０に調整し、
該水系媒体中に、少なくとも重合性単量体、着色剤、カルボキシル基を有する極性重合体又は極性共重合体及び重合開始剤を有する重合性単量体組成物を分散させ、重合性単量体組成物の粒子を生成し、
該水系媒体中で、該粒子に含まれている重合性単量体を重合して、トナー粒子を生成し、
該水系媒体のｐＨを１．０乃至３．０に調整して、リン酸カルシウム塩類を溶解した後にトナー粒子を分離するという工程を有するイエロートナーの製造方法において、
該重合性単量体がスチレンモノマーとアクリル又はメタクリルモノマーを有し、
該着色剤がビスアセトアセトアリリドに分類される顔料を含有し、
得られたイエロートナーのフロー式粒子像分析装置（ＦＰＩＡ）で測定される円形度が０．９７０以上１．０００未満であることを特徴とするイエロートナーの製造方法。
【請求項２】
リン酸カルシウム塩類がヒドロキシアパタイトであることを特徴とする請求項１に記載のイエロートナーの製造方法。
【請求項３】
該重合性単量体組成物を分散する前の水系媒体のｐＨが４．５乃至６．０であることを特徴とする請求項１又は２に記載のイエロートナーの製造方法。
【請求項４】
塩酸、硫酸、硝酸及びリン酸よりなるグループから選択される水溶性無機酸により水系媒体のｐＨを調整することを特徴とする請求項１乃至３のいずれかに記載のイエロートナーの製造方法。
【請求項５】
ビスアセトアセトアリリド系顔料がＣ．Ｉ．Ｐｉｇｍｅｎｔ  Ｙｅｌｌｏｗ  １５５に分類される顔料であることを特徴とする請求項１乃至４のいずれかに記載のイエロートナーの製造方法。
【手続補正３】
【補正対象書類名】明細書
【補正対象項目名】０００１
【補正方法】変更
【補正の内容】
【０００１】
【発明の属する技術分野】
本発明は電子写真，静電記録，静電印刷，あるいは、トナージェット記録等におけるイエロートナーの製造方法に関する。
【手続補正４】
【補正対象書類名】明細書
【補正対象項目名】００２６
【補正方法】変更
【補正の内容】
【００２６】
【発明が解決しようとする課題】
本発明の目的は上述の如き欠点を解決し、色の分散が良好で且つ環境安定性や転写性に優れたイエロートナーの製造方法を提供するものである。
【手続補正５】
【補正対象書類名】明細書
【補正対象項目名】００２７
【補正方法】変更
【補正の内容】
【００２７】
すなわち、本発明の目的は、色の分散が良好で十分な彩度を有し、優れた耐候性をもつトナーであり、且つ環境安定性や転写性に優れたイエロートナーの製造方法を提供するものである。
【手続補正６】
【補正対象書類名】明細書
【補正対象項目名】００２８
【補正方法】変更
【補正の内容】
【００２８】
さらに本発明の目的は、重合法イエロートナーの製造方法において、水系媒体中に懸濁造粒した重合性単量体組成物が、イエロー粒子として常に安定して分散し、重合反応中の粒子合一が発生しない再現性の良いイエロートナーの製造方法を提供することにある。
【手続補正７】
【補正対象書類名】明細書
【補正対象項目名】００２９
【補正方法】変更
【補正の内容】
【００２９】
さらに本発明の目的は、生成するイエロートナー粒子が常に安定で再現性良くシャープな粒度分布と均一摩擦帯電能を有するイエロートナーの製造方法を提供することにある。
【手続補正８】
【補正対象書類名】明細書
【補正対象項目名】００３０
【補正方法】変更
【補正の内容】
【００３０】
さらに本発明の目的は、イエロートナーのトランスペアレンシー等の透過画像において紙上の分光反射特性とほぼ同等の、イエロー色味再現性のすぐれたイエロートナーの製造方法を提供することにある。
【手続補正９】
【補正対象書類名】明細書
【補正対象項目名】００３１
【補正方法】変更
【補正の内容】
【００３１】
さらに本発明の目的は、生成するトナー粒子の形態あるいは表面状態を常に再現性良く制御することができるイエロートナーの製造方法を提供することにある。
【手続補正１０】
【補正対象書類名】明細書
【補正対象項目名】００３２
【補正方法】変更
【補正の内容】
【００３２】
さらに本発明の目的は、画像濃度が高く安定で、カブリのない画像特性に優れたイエロートナーの製造方法を提供することにある。
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】変更
【補正の内容】
【００３４】
【課題を解決するための手段】
本発明は、リン酸塩水溶液とカルシウム塩水溶液とを混合して得られるリン酸カルシウム塩類を含有する水系媒体のｐＨを４．０乃至６．０に調整し、
該水系媒体中に、少なくとも重合性単量体、着色剤、カルボキシル基を有する極性重合体又は極性共重合体及び重合開始剤を有する重合性単量体組成物を分散させ、重合性単量体組成物の粒子を生成し、
該水系媒体中で、該粒子に含まれている重合性単量体を重合して、トナー粒子を生成し、
該水系媒体のｐＨを１．０乃至３．０に調整して、リン酸カルシウム塩類を溶解した後にトナー粒子を分離するという工程を有するイエロートナーの製造方法において、
該重合性単量体がスチレンモノマーとアクリル又はメタクリルモノマーを有し、
該着色剤がビスアセトアセトアリリドに分類される顔料を含有し、
得られたイエロートナーのフロー式粒子像分析装置（ＦＰＩＡ）で測定される円形度が０．９７０以上１．０００未満であることを特徴とするイエロートナーの製造方法に関する。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
基板と、該基板上に形成され予め規定された深さに色中心となる不純物を有するハーフトーン膜とを備えたフォトマスクブランク。
【請求項２】
ハーフトーン膜は、透過率調整層及び位相差調整層を有し、前記透過率調整層に色中心となる不純物が含まれることを特徴とする請求項１記載のフォトマスクブランク。
【請求項３】
ハーフトーン膜は、透過率調整層及び位相差調整層を有し、前記位相差調整層に色中心となる不純物が含まれることを特徴とする請求項１記載のフォトマスクブランク。
【請求項４】
予め規定された深さに色中心となる不純物を有する基板と、該基板上に形成されたハーフトーン膜とを備えたフォトマスクブランク。
【請求項５】
不純物は、イオン注入によって注入された光学活性化イオンであることを特徴とする請求項１から請求項４のうちのいずれか１項記載のフォトマスクブランク。
【請求項６】
光学活性化イオンは、少なくともアルカリ金属イオン、アルカリ土類金属イオン及びハロゲンイオンのうちのいずれか１つであることを特徴とする請求項５記載のフォトマスクブランク。
【請求項７】
不純物は、熱拡散形成によって拡散された光学活性化物質であることを特徴とする請求項１から請求項４のうちのいずれか１項記載のフォトマスクブランク。
【請求項８】
光学活性化物質は、少なくともアルカリ金属、アルカリ土類金属及びハロゲンのうちのいずれか１つであることを特徴とする請求項７記載のフォトマスクブランク。
【請求項９】
基板上にハーフトーン膜を形成する第１の工程と、該ハーフトーン膜の予め規定された深さにイオン注入によって色中心となる不純物を含ませる第２の工程とを備えたフォトマスクブランクの製造方法。
【請求項１０】
基板の予め規定された深さにイオン注入によって色中心となる不純物を含ませる第１の工程と、該基板上にハーフトーン膜を形成する第２の工程とを備えたフォトマスクブランクの製造方法。
【請求項１１】
基板上にハーフトーン膜を形成する第１の工程と、該ハーフトーン膜に不純物材料を堆積させる第２の工程と、予め定められた温度以上で熱処理を行って前記不純物材料を前記ハーフトーン膜に拡散させて前記ハーフトーン膜の予め規定された深さに色中心となる不純物を含有させる第３の工程とを備えたフォトマスクブランクの製造方法。
【請求項１２】
基板上に不純物材料を堆積させる第１の工程と、予め定められた温度以上で熱処理を行って前記不純物材料を前記基板に拡散させて前記基板の予め規定された深さに色中心となる不純物を含有させる第２の工程と、前記基板上にハーフトーン膜を形成する第３の工程とを備えたフォトマスクブランクの製造方法。
【請求項１３】
基板と、該基板上に形成され予め規定された深さに色中心となる不純物を有するハーフトーン膜とを備えたフォトマスクブランクを用いたフォトマスクの製造方法において、
前記ハーフトーン膜上に感光性レジストを塗布する第１の工程と、
前記感光性レジストを所定のパターンで感光させて現像し前記感光性レジストに前記所定のパターンを形成する第２の工程と、
前記感光性レジストをマスクとして前記ハーフトーン膜をエッチングし、前記ハーフトーン膜に前記所定のパターンを形成する第３の工程と
を備えたことを特徴とするフォトマスクの製造方法。
【請求項１４】
予め規定された深さに色中心となる不純物を有する基板と、該基板上に形成されたハーフトーン膜とを備えたフォトマスクブランクを用いたフォトマスクの製造方法において、
前記ハーフトーン膜上に感光性レジストを塗布する第１の工程と、
前記感光性レジストを所定のパターンで感光させて現像し前記感光性レジストに前記所定のパターンを形成する第２の工程と、
前記感光性レジストをマスクとして前記ハーフトーン膜をエッチングする第３の工程と、
前記感光性レジスト及び前記ハーフトーン膜をマスクとして前記基板を前記ハーフトーン膜の膜厚に基づいて前記予め規定された深さよりも深い所定の深さまでエッチングする第４の工程と
を備えたことを特徴とするフォトマスクの製造方法。
【手続補正２】
【補正対象書類名】明細書
【補正対象項目名】００１７
【補正方法】変更
【補正の内容】
【００１７】
この発明に係るフォトマスクブランクは、不純物がイオン注入によって注入された光学活性化イオンであることを特徴とするものである。
また、この発明に係るフォトマスクブランクは、光学活性化イオンが、少なくともアルカリ金属イオン、アルカリ土類金属イオン及びハロゲンイオンのうちのいずれか１つであることを特徴とするものである。
【手続補正３】
【補正対象書類名】明細書
【補正対象項目名】００１８
【補正方法】変更
【補正の内容】
【００１８】
この発明に係るフォトマスクブランクは、不純物が熱拡散形成によって拡散された光学活性化物質であることを特徴とするものである。
また、この発明に係るフォトマスクブランクは、光学活性化物質が、少なくともアルカリ金属、アルカリ土類金属及びハロゲンのうちのいずれか１つであることを特徴とするものである。
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
支持体上にハロゲン化銀乳剤層、及び該ハロゲン化銀乳剤層の上部に非感光性親水性コロイド層を有するハロゲン化銀写真感光材料において、前記非感光性親水性コロイド層がポリウレタン系ラテックスを含有し、かつ前記ハロゲン化銀乳剤層が前記ポリウレタン系ラテックスよりガラス転移温度が低いポリマーラテックスを含有することを特徴とするハロゲン化銀写真感光材料。
【手続補正書】
【提出日】平成17年4月12日(2005.4.12)
【手続補正１】
【補正対象書類名】明細書
【補正対象項目名】特許請求の範囲
【補正方法】変更
【補正の内容】
【特許請求の範囲】
【請求項１】
（Ａ）外部からの刺激により酸又はラジカルを発生する下記一般式（Ｉ）又は（ＩＩ）で表される化合物を含有することを特徴とする感刺激性組成物。
【化１】
2003140331.tif 000001
一般式（Ｉ）及び（ＩＩ）中、
Ｒ1〜Ｒ3は、同じでも異なっていてもよく、水素原子又は置換基を有していてもよい、アルキル基、アルケニル基、アリール基若しくはアルコキシ基を表す。
Ｒ4及びＲ5は、同じでも異なっていてもよく、水素原子、シアノ基又は置換基を有していてもよい、アルキル基、アリール基若しくはアルコキシ基を表す。
Ｙ1及びＹ2は、同じでも異なっていてもよく、置換基を有していてもよい、アルキル基、アリール基、アラルキル基又はヘテロ原子を含む芳香族基を表す。
ｎは、１〜４の整数を表す。ｎが２以上の場合に複数個存在するＲ1及びＲ2は、同じでも異なっていてもよい。
Ｒ1〜Ｒ3、Ｒ4、Ｒ5、Ｙ1及びＹ2の内のいずれか２つ以上が結合して環構造を形成してもよい。
また、Ｒ1〜Ｒ3、Ｒ4、Ｒ5、Ｙ1及びＹ2のいずれかの位置で、連結基を介して結合し、一般式（Ｉ）又は（ＩＩ）の構造を２つ以上有していてもよい。
Ｘ-は、非求核性アニオンを表す。
【請求項２】
（Ａ）活性光線又は放射線の照射により酸を発生する下記一般式（Ｉ）又は（ＩＩ）で表される化合物を含有することを特徴とする感光性組成物。
【化２】
2003140331.tif 000002
一般式（Ｉ）及び（ＩＩ）中、
Ｒ1〜Ｒ3は、同じでも異なっていてもよく、水素原子又は置換基を有していてもよい、アルキル基、アルケニル基、アリール基若しくはアルコキシ基を表す。
Ｒ4及びＲ5は、同じでも異なっていてもよく、水素原子、シアノ基又は置換基を有していてもよい、アルキル基、アリール基若しくはアルコキシ基を表す。
Ｙ1及びＹ2は、同じでも異なっていてもよく、置換基を有していてもよい、アルキル基、アリール基、アラルキル基又はヘテロ原子を含む芳香族基を表す。
ｎは、１〜４の整数を表す。ｎが２以上の場合に複数個存在するＲ1及びＲ2は、同じでも異なっていてもよい。
Ｒ1〜Ｒ3、Ｒ4、Ｒ5、Ｙ1及びＹ2の内のいずれか２つ以上が結合して環構造を形成してもよい。
また、Ｒ1〜Ｒ3、Ｒ4、Ｒ5、Ｙ1及びＹ2のいずれかの位置で、連結基を介して結合し、一般式（Ｉ）又は（ＩＩ）の構造を２つ以上有していてもよい。
Ｘ-は、非求核性アニオンを表す。
【請求項３】
（Ａ）活性光線又は放射線の照射により酸を発生する下記一般式（Ｉ）又は（ＩＩ）で表される化合物及び
（Ｂ）酸の作用により分解し、アルカリ現像液中での溶解度が増大する樹脂を含有することを特徴とするポジ型感光性組成物。
【化３】
2003140331.tif 000003
一般式（Ｉ）及び（ＩＩ）中、
Ｒ1〜Ｒ3は、同じでも異なっていてもよく、水素原子又は置換基を有していてもよい、アルキル基、アルケニル基、アリール基若しくはアルコキシ基を表す。
Ｒ4及びＲ5は、同じでも異なっていてもよく、水素原子、シアノ基又は置換基を有していてもよい、アルキル基、アリール基若しくはアルコキシ基を表す。
Ｙ1及びＹ2は、同じでも異なっていてもよく、置換基を有していてもよい、アルキル基、アリール基、アラルキル基又はヘテロ原子を含む芳香族基を表す。
ｎは、１〜４の整数を表す。ｎが２以上の場合に複数個存在するＲ1及びＲ2は、同じでも異なっていてもよい。
Ｒ1〜Ｒ3、Ｒ4、Ｒ5、Ｙ1及びＹ2の内のいずれか２つ以上が結合して環構造を形成してもよい。
また、Ｒ1〜Ｒ3、Ｒ4、Ｒ5、Ｙ1及びＹ2のいずれかの位置で、連結基を介して結合し、一般式（Ｉ）又は（ＩＩ）の構造を２つ以上有していてもよい。
Ｘ-は、非求核性アニオンを表す。
【請求項４】
（Ｂ）成分の樹脂が、単環又は多環の脂環炭化水素構造を有することを特徴とする請求項３に記載のポジ型感光性組成物。
【請求項５】
（Ａ）活性光線又は放射線の照射により酸を発生する下記一般式（Ｉ）又は（ＩＩ）で表される化合物
（Ｃ）酸架橋剤及び
（Ｄ）アルカリ可溶性樹脂
を含有することを特徴とするネガ型感光性組成物。
【化４】
2003140331.tif 000004
一般式（Ｉ）及び（ＩＩ）中、
Ｒ1〜Ｒ3は、同じでも異なっていてもよく、水素原子又は置換基を有していてもよい、アルキル基、アルケニル基、アリール基若しくはアルコキシ基を表す。
Ｒ4及びＲ5は、同じでも異なっていてもよく、水素原子、シアノ基又は置換基を有していてもよい、アルキル基、アリール基若しくはアルコキシ基を表す。
Ｙ1及びＹ2は、同じでも異なっていてもよく、置換基を有していてもよい、アルキル基、アリール基、アラルキル基又はヘテロ原子を含む芳香族基を表す。
ｎは、１〜４の整数を表す。ｎが２以上の場合に複数個存在するＲ1及びＲ2は、同じでも異なっていてもよい。
Ｒ1〜Ｒ3、Ｒ4、Ｒ5、Ｙ1及びＹ2の内のいずれか２つ以上が結合して環構造を形成してもよい。
また、Ｒ1〜Ｒ3、Ｒ4、Ｒ5、Ｙ1及びＹ2のいずれかの位置で、連結基を介して結合し、一般式（Ｉ）又は（ＩＩ）の構造を２つ以上有していてもよい。
Ｘ-は、非求核性アニオンを表す。
【請求項６】
更に、塩基性化合物及びフッ素及び／又はシリコン系界面活性剤を含有することを特徴とする請求項１〜５のいずれかに記載の感光性組成物。
【請求項７】
塩基性化合物が、イミダゾール構造、ジアザビシクロ構造、オニウムヒドロキシド構造、オニウムカルボキシレート構造、トリアルキルアミン構造及びアニリン構造から選ばれる構造を有する化合物を少なくとも１種含有することを特徴とする請求項６に記載の感光性組成物。
【請求項８】
更に、酸の作用により分解してアルカリ現像液中での溶解性を増大させる基を有する、分子量３０００以下の溶解阻止低分子化合物を含有することを特徴とする請求項１〜４及び６〜７のいずれかに記載の感光性組成物。
【請求項９】
下記式（Ｉ）又は（ＩＩ）で表されることを特徴とする化合物。
【化５】
2003140331.tif 000005
一般式（Ｉ）及び（ＩＩ）中、
Ｒ1〜Ｒ3は、同じでも異なっていてもよく、水素原子又は置換基を有していてもよい、アルキル基、アルケニル基、アリール基若しくはアルコキシ基を表す。
Ｒ4及びＲ5は、同じでも異なっていてもよく、水素原子、シアノ基又は置換基を有していてもよい、アルキル基、アリール基若しくはアルコキシ基を表す。
Ｙ1及びＹ2は、同じでも異なっていてもよく、置換基を有していてもよい、アルキル基、アリール基、アラルキル基又はヘテロ原子を含む芳香族基を表す。
ｎは、１〜４の整数を表す。ｎが２以上の場合に複数個存在するＲ1及びＲ2は、同じでも異なっていてもよい。
Ｒ1〜Ｒ3、Ｒ4、Ｒ5、Ｙ1及びＹ2の内のいずれか２つ以上が結合して環構造を形成してもよい。
また、Ｒ1〜Ｒ3、Ｒ4、Ｒ5、Ｙ1及びＹ2のいずれかの位置で、連結基を介して結合し、一般式（Ｉ）又は（ＩＩ）の構造を２つ以上有していてもよい。
Ｘ-は、非求核性アニオンを表す。
【請求項１０】
請求項１〜８のいずれかに記載の感光性組成物によりレジスト膜を形成し、当該レジスト膜を露光、現像することを特徴とするパターン形成方法。
【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】
（Ａ）カチオン部に水酸基を有し、活性光線又は放射線の照射により酸を発生するスルホニウム塩化合物及び
（Ｂ）単環又は多環の脂環炭化水素構造を有し、酸の作用により分解し、アルカリ現像液中での溶解度が増大する樹脂
を含有することを特徴とするポジ型感光性組成物。
【請求項２】
（Ａ）成分のスルホニウム塩化合物が、下記一般式（Ｉ）で表されることを特徴とする請求項１に記載のポジ型感光性組成物。
【化１】
2003140344.tif 000001
一般式（Ｉ）に於いて、Ｒ1は、複数の場合に互いに同じでも異なっていてもよく、水酸基、ハロゲン原子又は置換基を有していてもよい、アルキル基、アルコキシ基、アルコキシカルボニル基、アリール基、アリールオキシ基、アシル基、アシルアミノ基若しくはアルキルスルホニルアミノ基を表す。ｌ、ｍ及びｎは、０〜４の整数を表す。Ｘ-は、非求核性アニオンを表す。
【請求項３】
更に（Ｃ）塩基性化合物、及び（Ｄ）フッ素系界面活性剤又はシリコン系界面活性剤を含有することを特徴とする請求項１又は２に記載のポジ型感光性組成物。
【請求項４】
（Ｃ）塩基性化合物が、イミダゾール構造、ジアザビシクロ構造、オニウムヒドロキシド構造、オニウムカルボキシレート構造、トリアルキルアミン構造及びアニリン構造から選ばれる構造を有する化合物であることを特徴とする請求項３に記載のポジ型感光性組成物。
【請求項５】
更に（Ｆ）酸の作用により分解してアルカリ現像液中での溶解性を増大させる基を有し、分子量３０００以下の溶解阻止低分子化合物を含有することを特徴とする請求項１〜４のいずれかに記載のポジ型感光性組成物。
【請求項６】
請求項１〜５のいずれかに記載のポジ型感光性組成物により膜を形成し、当該膜を露光、現像することを特徴とするパターン形成方法。
【手続補正書】
【提出日】平成16年5月25日(2004.5.25)
【手続補正１】
【補正対象書類名】明細書
【補正対象項目名】特許請求の範囲
【補正方法】変更
【補正の内容】
【特許請求の範囲】
【請求項１】
（Ａ）ポリマー骨格の主鎖及び／又は側鎖にフッ素原子が置換した構造を有し、且つ酸の作用により分解し、アルカリ現像液に対する溶解度を増大する基を有するフッ素基含有樹脂、
（Ｂ）活性光線又は放射線の照射により、酸を発生する化合物、及び
（Ｄ）少なくとも一つのフッ素原子を有する化合物を含有することを特徴とするポジ型レジスト組成物。
【請求項２】
（Ａ）の樹脂が、パーフルオロアルキレン基、パーフルオロアリーレン基から選択される部位を、ポリマー骨格の主鎖に少なくとも一つ有するか、パーフルオロアルキル基、パーフルオロアリール基、ヘキサフルオロ−２−プロパノ−ル基、及びヘキサフルオロ−２−プロパノ−ル基のＯＨ基を保護した基から選択される部位を、ポリマー骨格の側鎖に少なくとも一つ有するフッ素基含有樹脂であることを特徴とする請求項１に記載のポジ型レジスト組成物。
【請求項３】
１８０ｎｍ以下の波長の遠紫外光による露光用組成物であることを特徴とする請求項１又は２に記載のポジ型レジスト組成物。
【請求項４】
請求項１〜３のいずれかに記載のポジ型レジスト組成物によりレジスト膜を形成し、当該レジスト膜を露光、現像することを特徴とするパターン形成方法。
【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
プログラム実行装置と別体であり、且つ前記プログラム実行装置に対して入力指示を行う情報入力デバイスにおいて、
人が把持可能なデバイス本体と、
前記デバイス本体の表面側に備えられ、人の指による接触とその接触位置を検知するシート状の第１のセンサーと、
前記第１のセンサーの検知信号を前記プログラム実行装置に対して送信するための検知信号送信手段とを備える
ことを特徴とする情報入力デバイス。
【請求項２】
請求項１記載の情報入力デバイスであって、
前記デバイス本体は、振動手段を備えることを特徴とする情報入力デバイス。
【請求項３】
請求項２記載の情報入力デバイスであって、
前記振動手段は、少なくとも前記第1のセンサーを振動させることを特徴とする情報入力デバイス。
【請求項４】
請求項１〜請求項３の何れかに記載の情報入力デバイスであって、
前記第１のセンサーは、タッチパッドであることを特徴とする情報入力デバイス。
【請求項５】
請求項１〜請求項４の何れかに記載の情報入力デバイスであって、
前記デバイス本体は、前記第１のセンサーと独立して所定の操作を検知する第２のセンサーを備えることを特徴とする情報入力デバイス。
【請求項６】
請求項５記載の情報入力デバイスであって、
前記第２のセンサーは、圧力センサーであることを特徴とする情報入力デバイス。
【請求項７】
請求項５又は請求項６に記載の情報入力デバイスであって、
前記デバイス本体は、前記第１及び第２のセンサーと独立して、所定の操作を検知する第３のセンサーを備えることを特徴とする情報入力デバイス。
【請求項８】
請求項７記載の情報入力デバイスであって、
前記第３のセンサーは、加速度センサーであることを特徴とする情報入力デバイス。
【請求項９】
請求項１〜請求項８の何れかに記載の情報入力デバイスであって、
前記検知信号送信手段は、前記デバイス本体にケーブルを介して前記プログラム実行装置と接続されていることを特徴とする情報入力デバイス。
【請求項１０】
請求項１〜請求項８の何れかに記載の情報入力デバイスであって、
前記検知信号送信手段は、無線により前記検知信号を前記プログラム実行装置に送信することを特徴とする情報入力デバイス。
【請求項１１】
請求項１０記載の情報入力デバイスであって、
前記検知信号送信手段は、前記デバイス本体より引出されたケーブルの先端に設けられていることを特徴とする情報入力デバイス。
【請求項１２】
請求項１〜請求項１１の何れかに記載の情報入力デバイスであって、
前記デバイス本体の形状が、卵形であることを特徴とする情報入力デバイス。
【請求項１３】
請求項１〜請求項１２の何れかに記載の情報入力デバイスであって、
前記デバイス本体は、弾性部材により形成されていることを特徴とする情報入力デバイス。
【請求項１４】
請求項１〜請求項１３の何れかに記載の情報入力デバイスであって、
前記デバイス本体は、少なくとも文字情報と画像情報の何れかを表示する表示手段を備えることを特徴とする情報入力デバイス。
【請求項１５】
請求項１〜請求項１４の何れかに記載の情報入力デバイスであって、
前記デバイス本体は、前記デバイス本体を光らせる発光手段を備えることを特徴とする情報入力デバイス。
【請求項１６】
請求項１５記載の情報入力デバイスであって、
前記検知信号の種類に応じて前記発光手段の発光方法を変更させる制御手段を備えることを特徴とする情報入力デバイス。
【請求項１７】
請求項１５記載の情報入力デバイスであって、
前記検知信号の種類に応じて前記発光手段の発光色を変更させる制御手段を備えることを特徴とする情報入力デバイス。
【請求項１８】
情報入力デバイスに設けられたタッチパッドへの接触とその接触位置を第１のセンサーによって検知した検知信号のうち所定の検知信号を、前記情報入力デバイスに設けられた第２のセンサーからの信号に基づいて決定信号とするステップを
前記情報入力デバイス内のプログラム実行装置に実行させるための情報処理プログラム。
【請求項１９】
情報入力デバイスに設けられたタッチパッドへの接触とその接触位置を第１のセンサーによって検知した検知信号のうち所定の検知信号を、前記情報入力デバイスに設けられた第２のセンサーからの信号に基づいて決定信号とするステップと、
前記情報入力デバイスに設けられた第３のセンサーによって、前記決定信号をキャンセルするステップとを
前記情報入力デバイス内のプログラム実行装置に実行させるための情報処理プログラム。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】
コンピュータシステム用ポインティング装置であって、
作業面に光学的に結合され、該作業面上の直交方向における動きを示す第１のポインタ増分信号と、前記第１のポインタ増分信号の正確度の信頼性レベルを示す第１の性能指数信号とを生成する第１の光学式ナビゲーション回路と、
前記作業面に光学的に結合され、該作業面上の直交方向における動きを示す第２のポインタ増分信号と、前記第２のポインタ増分信号の正確度の信頼性レベルを示す第２の性能指数信号とを生成する第２の光学式ナビゲーション回路と、
前記第１及び第２の性能指数信号に結合され、該第１及び第２の性能指数信号のどちらがより好都合であるかを示すナビゲーション選択信号を生成するナビゲーション選択回路と、
前記第１及び第２のポインタ増分信号と前記ナビゲーション選択信号とに結合され、前記ナビゲーション選択信号に従って前記第１及び第２のポインタ増分信号の一方に対応する最終的なポインタ増分信号を出力に生成する選択回路と、
前記最終的なポインタ増分信号に結合される入力部と、対応する信号をコンピュータシステムに結合する出力部を有するインタフェース
を備える、ポインティング装置。
【請求項２】
前記第２の光学式ナビゲーション回路の直交方向が、前記第１の光学式ナビゲーション回路の直交方向に対してある傾斜角度で傾斜している、請求項１のポインティング装置であって、さらに、座標回転回路を備え、該座標回転回路が、
（ａ）前記第２の光学式ナビゲーション回路により生成された第２のポインタ増分信号に結合される入力部を有し、
（ｂ）それらの第２のポインタ増分信号の座標成分を、前記傾斜角度だけ回転させて回転された座標を生成し、
（ｃ）回転されない第２のポインタ増分信号の代わりに、前記選択回路に結合される回転された第２のポインタ増分信号を出力に生成する
ことからなる、ポインティング装置。
【請求項３】
前記傾斜角度が４５度である、請求項２のポインティング装置。
【請求項４】
前記第１の性能指数信号と第２の性能指数信号の少なくとも一方を、関連する相関面の値を検査することにより導出する、請求項１のポインティング装置。
【請求項５】
前記第１及び第２の光学式ナビゲーション回路の両方を前記作業面に光学的に結合するレンズアセンブリをさらに備える、請求項１のポインティング装置。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
ハードコピーの作成を助ける方法であって、
第１の言語で書かれた文書ファイルを選択するステップと、
前記文書ファイルを第２の言語に変換するように構成されたトランスレータを選択するステップと、
ハードコピー作成装置が受信することのできるジョブパッケージに、前記文書ファイルと前記トランスレータとを一緒にパッケージ化するステップと、
を含む方法。
【請求項２】
前記ジョブパッケージを暗号化するステップをさらに含む、請求項１に記載の方法。
【請求項３】
前記ジョブパッケージの解読に使用することのできる解読鍵のロケーションを識別するアドレスを、前記ジョブパッケージに添付するステップをさらに含む、請求項１に記載の方法。
【請求項４】
ハードコピーを作成する方法であって、
第１の言語で書かれ文書を表す文書ファイルとこの文書ファイルを第２の言語に変換するように構成されたトランスレータとを含む、ジョブパッケージを受け取るステップと、
前記ジョブパッケージを開くステップと、
前記トランスレータを使用して、前記文書ファイルを前記第２の言語に変換するステップと、
前記文書のハードコピーを作成するステップと、
を含む方法。
【請求項５】
前記ジョブパッケージを開く前に、このジョブパッケージを解読するステップをさらに含む、請求項４に記載の方法。
【請求項６】
前記ハードコピーを作成する前に、遠隔のコンピュータデバイスに登録するステップをさらに含む、請求項４に記載の方法。
【請求項７】
ハードコピーを作成するシステムであって、
第１の言語で書かれ文書を表す文書ファイルとこの文書ファイルを第２の言語に変換するように構成されたトランスレータとを含む、ジョブパッケージを受け取る手段と、
前記ジョブパッケージを開く手段と、
前記トランスレータを使用して、前記文書ファイルを前記第２の言語に変換する手段と、
前記文書のハードコピーを作成する手段と、
を備えるシステム。
【請求項８】
ハードコピーを作成する方法であって、
第１の言語で書かれ文書を表す文書ファイルとこの文書ファイルを第２の言語に変換するように構成されたトランスレータとを含む、ジョブパッケージのロケーションを識別するアドレスを受け取るステップと、
前記ジョブパッケージを検索するステップと、
前記パッケージを開くステップと、
前記トランスレータを使用して、前記文書ファイルを前記第２の言語に変換するステップと、
前記文書のハードコピーを作成するステップと、
を含む方法。
【請求項９】
前記アドレスを受け取るステップは、一度限りで使用されるアドレスを受け取ることを含む、請求項８に記載の方法。
【請求項１０】
ハードコピーを作成するシステムであって、
第１の言語で書かれた文書ファイルとこの文書ファイルを第２の言語に変換するように構成されたトランスレータとを含む、ジョブパッケージのロケーションを識別するアドレスを受け取る手段と、
前記ジョブパッケージを検索する手段と、
前記パッケージを開く手段と、
前記トランスレータを使用して、前記文書ファイルを前記第２の言語に変換する手段と、
前記文書のハードコピーを作成する手段と、
を備えるシステム。
【手続補正書】
【提出日】平成17年7月21日(2005.7.21)
【手続補正１】
【補正対象書類名】明細書
【補正対象項目名】００２７
【補正方法】変更
【補正の内容】
【００２７】
次に、図７（Ａ）は、本発明の実施の形態の第４例を示している。本例の場合には、弾性板４６ａの外周縁部に、比較的薄肉で剛性が低く、撓み易いシールリップ４７を設けている。そして、このシールリップ４７の先端縁をかしめ部２９ａの端面外周寄り部分に、全周に亙り当接させて、芯金４１の円輪部４５とかしめ部２９ａとの間をシールしている。この様な本例の場合も、上記かしめ部２９ａの端面に平坦面３８を形成している為、図７（Ｂ）に示す様な、平坦面を持たないかしめ部２９を有する構造に比べて、上記弾性板４６ａの耐久性及びこのシール板４６ａによるシール性を確保できる。
【手続補正２】
【補正対象書類名】明細書
【補正対象項目名】００３１
【補正方法】変更
【補正の内容】
【００３１】
これに合わせて本例の場合には、上記内側係止溝１４と上記外側係止溝１３との間に上記止め輪３５を掛け渡す事により、上記雄、雌両スプライン同士の軸方向に関する相対位置が固定される様にしている。言い換えれば、ハブ６ｂの内周面に形成する外側係合部として、前述した各例の様な、止め輪３５の軸方向位置を一義的に規制できない（止め輪を軸方向に固定できない）段状の構造に代えて、止め輪３５の軸方向位置を一義的に規制できる、凹溝状の外側係止溝１３を設けている。
【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
制御基板が収納されるケース本体と、該ケース本体の開口部を遮蔽する蓋体とを備え、前記ケース本体の一側縁と、該一側縁に対応する蓋体の一側縁とをヒンジ機構を介して回動可能に枢結してなる制御基板収納ケースにおいて、
前記ケース本体の、ヒンジ機構により枢結された一側縁を構成する側板部に係合孔を設ける一方、蓋体の裏面に、該蓋体の閉止状態で前記係合孔に嵌挿される係止片を設けたことを特徴とする遊技機の制御基板収納ケース。
【請求項２】
前記側板部の外側に突出する係合部材を一体形成し、該係合部材に、前記側板部の内面側に開口する係合孔を形成して、前記係止片を、前記係合部材の係合孔に嵌挿して蓋体を閉止状態とすることを特徴とする請求項１記載の遊技機の制御基板収納ケース。
【請求項３】
制御基板が収納されるケース本体と、該ケース本体の開口部を遮蔽する蓋体とを備え、前記ケース本体の一側縁と、該一側縁に対応する蓋体の一側縁とをヒンジ機構を介して回動可能に枢結してなる制御基板収納ケースにおいて、
前記蓋体の、ヒンジ機構により枢結された一側縁から、蓋体の閉止状態で対向するケース本体の側板部の外側面近傍に該外側面に沿って係止縁を延成するとともに、蓋体の裏面に、前記側板部の内側面に近接させて１もしくは複数の係止突起を設けたことを特徴とする遊技機の制御基板収納ケース。
【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
制御基板が収納されるケース本体と、該ケース本体の開口部を遮蔽する蓋体とを備えてなる制御基板収納ケースにおいて、
前記ケース本体の少なくともその一側縁と、該一側縁に対応する蓋体の一側縁のいずれか一方に、取付け孔を備えた複数のボス部を設け、
他方に、各ボス部と一対を成し、蓋体を閉じた状態で、前記取付け孔と連通する挿通孔が形成された、破壊可能な複数のフランジ部を設け、
緊締方向へのみ螺回操作可能な操作頭部を備えてなる締結螺子を、フランジ部の挿通孔から挿通してボス部の取付け孔に螺着緊締することにより、ボス部とフランジ部とが締結可能とされ、
かつ該締結螺子によって、前記各一対のボス部とフランジ部とを順次締結することにより、所定回数分の封印を可能とすると共に、
前記各フランジ部を、ケース本体又は蓋体の側縁から所定間隔で側方に突出された一対のリブ片と、両リブ片に両側縁が支持され、締結螺子を挿通してその頭部を係止する係止片とによって構成し、前記両リブ片を切断することにより、封印を解除するようにしたことを特徴とする遊技機の制御基板収納ケース。
【請求項２】
制御基板が収納されるケース本体と、該ケース本体の開口部を遮蔽する蓋体とを備えてなる制御基板収納ケースにおいて、
前記ケース本体の少なくともその一側縁と、該一側縁に対応する蓋体の一側縁のいずれか一方に、取付け孔を備えた複数のボス部を設け、
他方に、各ボス部と一対を成し、蓋体を閉じた状態で、前記取付け孔と連通する挿通孔が形成された、破壊可能な複数のフランジ部を設け、
緊締方向へのみ螺回操作可能な操作頭部を備えてなる締結螺子を、フランジ部の挿通孔から挿通してボス部の取付け孔に螺着緊締することにより、ボス部とフランジ部とが締結可能とされ、
かつ該締結螺子によって、前記各一対のボス部とフランジ部とを順次締結することにより、所定回数分の封印を可能とすると共に、
前記フランジ部に、締結螺子の操作頭部の外径と略等しく、かつ、該操作頭部を螺進方向に案内し得るガイド孔部を備えた挿通孔を形成する一方、前記ボス部の取付け孔に、前記挿通孔を挿通させた締結螺子の胴部が略密嵌状に嵌入される支持孔部を形成し、その嵌入状態で、締結螺子の操作頭部が前記ガイド孔部に没入するようにしたことを特徴とする遊技機の制御基板収納ケース。
【手続補正２】
【補正対象書類名】明細書
【補正対象項目名】０００６
【補正方法】変更
【補正の内容】
【０００６】
【課題を解決するための手段】
本発明は、制御基板が収納されるケース本体と、該ケース本体の開口部を遮蔽する蓋体とを備えてなる制御基板収納ケースにおいて、前記ケース本体の少なくともその一側縁と、該一側縁に対応する蓋体の一側縁のいずれか一方に、取付け孔を備えた複数のボス部を設け、他方に、各ボス部と一対を成し、蓋体を閉じた状態で、前記取付け孔と連通する挿通孔が形成された、破壊可能な複数のフランジ部を設け、緊締方向へのみ螺回操作可能な操作頭部を備えてなる締結螺子を、フランジ部の挿通孔から挿通してボス部の取付け孔に螺着緊締することにより、ボス部とフランジ部とが締結可能とされ、かつ該締結螺子によって、前記各一対のボス部とフランジ部とを順次締結することにより、所定回数分の封印を可能とすると共に、前記各フランジ部を、ケース本体又は蓋体の側縁から所定間隔で側方に突出された一対のリブ片と、両リブ片に両側縁が支持され、締結螺子を挿通してその頭部を係止する係止片とによって構成し、前記両リブ片を切断することにより、封印を解除するように設ける構成としたことを特徴とする制御基板収納ケースである。
【手続補正３】
【補正対象書類名】明細書
【補正対象項目名】０００９
【補正方法】変更
【補正の内容】
【０００９】
さらに、本発明は、制御基板が収納されるケース本体と、該ケース本体の開口部を遮蔽する蓋体とを備えてなる制御基板収納ケースにおいて、前記ケース本体の少なくともその一側縁と、該一側縁に対応する蓋体の一側縁のいずれか一方に、取付け孔を備えた複数のボス部を設け、他方に、各ボス部と一対を成し、蓋体を閉じた状態で、前記取付け孔と連通する挿通孔が形成された、破壊可能な複数のフランジ部を設け、緊締方向へのみ螺回操作可能な操作頭部を備えてなる締結螺子を、フランジ部の挿通孔から挿通してボス部の取付け孔に螺着緊締することにより、ボス部とフランジ部とが締結可能とされ、かつ該締結螺子によって、前記各一対のボス部とフランジ部とを順次締結することにより、所定回数分の封印を可能とすると共に、前記フランジ部に、締結螺子の操作頭部の外径と略等しく、かつ、該操作頭部を螺進方向に案内し得るガイド孔部を備えた挿通孔を形成する一方、前記ボス部の取付け孔に、前記挿通孔を挿通させた締結螺子の胴部が略密嵌状に嵌入される支持孔部を形成し、その嵌入状態で、締結螺子の操作頭部が前記ガイド孔部に没入するように設ける構成としたことを特徴とする制御基板収納ケースである。
【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
制御基板が収納されるケース本体と、該ケース本体の開口部を遮蔽する蓋体とを備えてなる制御基板収納ケースにおいて、
前記ケース本体の少なくともその一側縁と、該一側縁に対応する蓋体の一側縁のいずれか一方に、取付け孔を備えた複数のボス部を設け、
他方に、各ボス部と一対を成し、蓋体を閉じた状態で、前記取付け孔と連通する挿通孔が形成された、破壊可能な複数のフランジ部を設け、
緊締方向へのみ螺回操作可能な操作頭部を備えてなる締結螺子を、フランジ部の挿通孔から挿通してボス部の取付け孔に螺着緊締することにより、ボス部とフランジ部とが締結可能とされ、
かつ該締結螺子によって、前記各一対のボス部とフランジ部とを順次締結することにより、所定回数分の封印を可能とすると共に、
前記蓋体の開放時のみ取り出し可能となり、再封印に必要な締結螺子の予備螺子を収納する収納部を、前記ケース体の内側に備えてなることを特徴とする遊技機の制御基板収納ケース
【請求項２】
ケース本体の側板部の内壁面に収納部を設け、予備螺子の入出口を蓋体で塞ぐようにした請求項１記載の制御基板収納ケース。
【手続補正２】
【補正対象書類名】明細書
【補正対象項目名】０００６
【補正方法】変更
【補正の内容】
【０００６】
【課題を解決するための手段】
本発明は、制御基板が収納されるケース本体と、該ケース本体の開口部を遮蔽する蓋体とを備えてなる制御基板収納ケースにおいて、
前記ケース本体の少なくともその一側縁と、該一側縁に対応する蓋体の一側縁のいずれか一方に、取付け孔を備えた複数のボス部を設け、他方に、各ボス部と一対を成し、蓋体を閉じた状態で、前記取付け孔と連通する挿通孔が形成された、破壊可能な複数のフランジ部を設け、緊締方向へのみ螺回操作可能な操作頭部を備えてなる締結螺子を、フランジ部の挿通孔から挿通してボス部の取付け孔に螺着緊締することにより、ボス部とフランジ部とが締結可能とされ、かつ該締結螺子によって、前記各一対のボス部とフランジ部とを順次締結することにより、所定回数分の封印を可能とすると共に、前記蓋体の開放時のみ取り出し可能となり、再封印に必要な締結螺子の予備螺子を収納する収納部を、前記ケース体の内側に備えてなることを特徴とする遊技機の制御基板収納ケースである。
【手続補正３】
【補正対象書類名】明細書
【補正対象項目名】０００９
【補正方法】変更
【補正の内容】
【０００９】
また、蓋体の開放時のみ取り出し可能となり、再封印に必要な締結螺子の予備螺子を収納する収納部を、前記ケース体の内側に設けたから、使用時期が不定であり、かつ、特殊な螺子である締結螺子の予備を常時確保することができる。
【手続補正４】
【補正対象書類名】明細書
【補正対象項目名】００２７
【補正方法】変更
【補正の内容】
【００２７】
また、制御基板収納ケースのケース体の内側に、蓋体の開放時のみ取り出し可能となり、再封印に必要な締結螺子の予備螺子を収納する収納部を設けたから、使用時期が不定であり、かつ、特殊な螺子である締結螺子の予備螺子を常時確保しておくことができる。
【手続補正書】
【提出日】平成17年9月14日(2005.9.14)
【手続補正１】
【補正対象書類名】明細書
【補正対象項目名】００６１
【補正方法】変更
【補正の内容】
【００６１】
プリンタ６０において、記録ヘッド１０は、図９（Ｂ）に示されるタイプのチップ３０を有するもので、例えば、チップ３０をフレーム２４に実装してなるヘッドユニットやインクタンクを有して構成される。この記録ヘッド１０は、ノズル列２８を走査方向（図中矢印ｘ方向）と直交して、かつ、インク吐出面であるオリフィスプレート２２表面（すなわち、チップ３０表面）を下方に向けて、キャリッジ６２の所定位置に装着される。
キャリッジ６２は、走査方向に延在する２本のガイド軸６４ａおよび６４ｂによって、走査方向に移動自在に支持されており、タイミングベルト等を用いる公知の移動手段（図示省略）によって移動される。これにより、記録ヘッド１０が走査される。
また、ガイド軸６４の端部近傍の下方には、ワイパー等を用いて記録ヘッド１０のオリフィスプレート２２表面を清掃するメンテナンスユニット６６が配置されている。
【手続補正２】
【補正対象書類名】明細書
【補正対象項目名】００６４
【補正方法】変更
【補正の内容】
【００６４】
図６に、本発明の記録ヘッド１０を用いる、本発明のインクジェットプリンタの別の例を示す。なお、図６において、（Ａ）は、このインクジェットプリンタの構成を示す概念図であり、（Ｂ）は、このインクジェットプリンタを斜め方向から見た際の概念図である。
図６に示されるインクジェットプリンタ８０（以下、プリンタ８０とする）は、対応する記録紙Ｐの一方向を超えて延在するノズル列２８を有する、図１０に示されるようなラインヘッドを記録ヘッド１０として用いるものである。このプリンタ８０も、本発明の記録ヘッド１０を用いる以外は、基本的に、公知のインクジェットプリンタである。
【手続補正３】
【補正対象書類名】明細書
【補正対象項目名】００６８
【補正方法】変更
【補正の内容】
【００６８】
記録部８２は、本発明の記録ヘッド１０と、記録搬送手段１０８とを有して構成される。
記録ヘッド１０は、チップ３０をフレーム２４に実装してなるヘッドユニット１１０と、インクタンク１１２（１１２Ｙ，１１２Ｃ，１１２Ｍ，および１１２Ｂ）とを有して構成される。また、記録ヘッド１０は、インク列２８を図６（Ａ）の紙面に垂直に延在して配置される。
記録搬送手段１０８は、ローラ１１４ａ，１１４ｂおよび吸着ローラ１１６，ならびに多孔エンドレスベルト１１８からなるコンベア１２０と、多孔エンドレスベルト１１８（ローラ１１４ａ）に押圧されるニップローラ１２２（図６（Ｂ）では省略）と、コンベア１２０内に配置される吸着箱１２４とを有して構成される。
【手続補正４】
【補正対象書類名】明細書
【補正対象項目名】００６９
【補正方法】変更
【補正の内容】
【００６９】
記録ヘッド１０は、オリフィス２０（チップ３０の表面）を吸着ローラ１１６に向けて配置される。また、記録搬送手段１０８は、記録ヘッド１０のインク列２８の延在方向と直交する方向に、所定速度で連続的に記録紙Ｐを搬送する。従って、プレヒート部８６から供給された記録紙Ｐは、ラインヘッドである記録ヘッド１０のノズル列２８で全面を走査され、画像が記録される。
また、コンベア１２０は、多孔エンドレスベルト１１８で構成され、さらに吸着ローラ１１６および吸着箱１２４を有する。そのため、記録紙Ｐは、多孔エンドレスベルト１１８に吸着された状態で搬送され、記録ヘッド１０に対して、適正に所定位置に保たれた状態で画像が記録される。
【手続補正５】
【補正対象書類名】明細書
【補正対象項目名】００７１
【補正方法】変更
【補正の内容】
【００７１】
メンテナンスユニット９０は、記録ヘッド１０の清掃を行うもので、ワイパー１３０とキャップ１３２とを有する。
図示例のプリンタ８０において、コンベア１２０、ニップローラ１２２、吸着箱１２４および搬送ローラ対１２６は一体的にユニット化されている。このユニットは、公知の方法で、コンベア１２０のローラ１１４ａの回転軸を中心に９０°回転して（図中矢印ａ）、ユニット化されたコンベア１２０等を図６（Ａ）中に点線で示す位置に移動可能に構成される。
また、メンテナンスユニット９０は、記録ヘッド１０の下方に位置しており、公知の方法で、昇降可能に構成される（図中矢印ｂ）。
【手続補正６】
【補正対象書類名】明細書
【補正対象項目名】００７２
【補正方法】変更
【補正の内容】
【００７２】
記録ヘッド１０の清掃時には、まず、ユニットを前記点線位置に移動する。
次いで、図７（Ａ）および（Ｂ）に示されるように、図６（Ａ）に示される待機位置に位置するメンテナンスユニット９０を上昇して、キャップ１３２を下降して退避させた後、ワイパー１３０をさらに上昇して、記録ヘッド１０（チップ３０表面＝オリフィスプレート２２表面）に当接し、ワイパー１３０をインク列２８方向に移動して清掃を行う。
清掃を終了したら、ワイパー１３０を元の位置に戻して降下し、さらに、メンテナンスユニット９０を降下して待機位置に戻し、さらに、前記ユニットを実線で示される位置に戻す。
【手続補正書】
【提出日】平成16年5月10日(2004.5.10)
【手続補正１】
【補正対象書類名】明細書
【補正対象項目名】００２２
【補正方法】変更
【補正の内容】
【００２２】
各枚葉体５ｂには、端縁を切り欠くことにより、円柱体５ａ（枚葉体５ｂ）の径方向に延在し、かつインク保溜溝８にインクを導入するインク導入溝９が形成されている。
そして、インク導入溝９の開口縁両側部に、インク保溜溝８の溝幅（それぞれが互いに隣り合う二つの枚葉体５ｂ，５ｂ間寸法）一部が狭くなるような凸部１０，１１が一体に設けられている。これにより、図１（ｂ）に示すように、それぞれが互いに隣り合う二つの枚葉体５ｂ，５ｂのうち、一方の枚葉体５ｂ上における各凸部１０，１１の上面と他の枚葉体５ｂの軸線方向端面（インク保溜溝８の溝壁）との間の寸法Ａは、両枚葉体５ｂ，５ｂ間寸法Ｂより小さい寸法に設定される。
【手続補正書】
【提出日】平成16年5月13日(2004.5.13)
【手続補正１】
【補正対象書類名】明細書
【補正対象項目名】請求項２
【補正方法】変更
【補正の内容】
【請求項２】
有機系の金属腐食防止剤が、ケトカルボン酸系化合物とエチルモルホリンとの付加化合物、ケトカルボン酸系化合物と酸化ジルコニウムとの付加化合物、ベンゾチアゾール系化合物およびベンゾチアゾール系化合物のアンモニウム塩からなる群から選ばれる１種以上の有機系の金属腐食防止剤である請求項１記載の可逆性感熱記録媒体。